(57)【要約】【課題】バンド部の係止歯と係止片の係止爪との位置ずれを抑制し、係止歯と係止爪との係止状態を維持できる結束バンドを提供する。【解決手段】この結束バンド１０は、係止歯２１を設けたバンド部２０とロック部３０とを備え、ロック部３０は挿通路３５と係止片４０とを有し、係止片４０は、一端が挿通路３５のバンド部入口側壁部に連結部４３を介して連結され、他端が挿通路３５のバンド部出口側へ延出されていると共に、バンド部出口側に係止爪４１が設けられ、更に、挿通路３５の壁部に対して離間する突出部４５を有しており、バンド部２０は、係止歯２１の幅方向両側から突出するリブ２３，２３を有しており、リブ２３は、バンド部２０を挿通路３５に挿通したときに、係止片４０の幅方向両側に位置するように構成されている。【選択図】図５
2016031116.tif 000002
【特許請求の範囲】
【請求項１】
少なくとも片面に長手方向に沿って所定間隔で複数の係止歯が形成されたバンド部と、該バンド部の基端に形成されたロック部とを備え、
前記ロック部は、前記バンド部が挿通される挿通路と、該挿通路内に配置される係止片とを有し、
前記係止片は、一端が前記挿通路のバンド部入口側壁部に連結部を介して連結され、他端が前記挿通路のバンド部出口側へ延出されていると共に、前記連結部よりも前記挿通路のバンド部出口側に、前記バンド部の係止歯に係止する係止爪を有しており、
前記バンド部は、前記係止歯の幅方向両側から突出するリブを有しており、該リブは、前記バンド部を前記挿通路に挿通したときに、前記係止片の幅方向両側に位置するように構成されていることを特徴とする結束バンド。
【請求項２】
前記係止片は、前記連結部よりも前記挿通路のバンド部入口側に突出し、かつ、前記挿通路の壁部に対して離間する突出部を有しており、
前記リブは、前記バンド部を前記挿通路に挿通したときに、前記係止片の係止爪及び突出部の幅方向両側に達する高さで形成されている請求項１記載の結束バンド。
【請求項３】
前記挿通路のバンド部入口側の壁部であって、前記係止片の幅方向両側に位置する部分に、ガイド突部が形成されており、前記挿通路に前記バンド部を挿通するときに、前記バンド部のリブが前記ガイド突部に当接して、前記係止歯が前記係止片の突出部に当接しないようにガイドされるように構成されている請求項１又は２記載の結束バンド。
【発明の詳細な説明】
【技術分野】
【０００１】
本発明は、例えば、ケーブルや電線等の被結束部材に巻き付けて、これらを結束する結束バンドに関する。
【背景技術】
【０００２】
例えば、車両の内部や外部には、複数のケーブルや電線、パイプ、チューブ等（被結束部材）が配設されているが、これらは結束バンドによって結束されることが多い。
【０００３】
このような結束バンドとして、下記特許文献１には、歯が形成されたストラップと、その一端部に固定されるロック部とを備え、ロック部は、ストラップ開口部を有するとともに、ストラップとの連結部に対向して位置する側面に前記ストラップ開口部の方向に対して横切る方向に位置するストラップガイド面を形成する、ケーブル束のような対象物を結束する装置が記載されている。
【０００４】
また、特許文献１のＦｉｇ．４に示すように、ロック部を、ストラップの挿入方向側から見たとき、ロック部の内周壁には、ストラップの歯に係合する、撓み可能な戻り止め爪が連結されている。この戻り止め爪の両側には、スリット状の隙間が形成され、該隙間を介して前記ストラップガイド面が配置されている。そして、ストラップをケーブル束等の外周に巻き付けて、その先端をストラップ開口部の入口側から挿入して出口側から引き出すと、ストラップの歯が戻り止め爪に係合して、ストラップの戻りが防止されつつ、ケーブル束等が締め付け固定される。
【先行技術文献】
【特許文献】
【０００５】
【特許文献１】特表２００３−５２５８２５号公報
【発明の概要】
【発明が解決しようとする課題】
【０００６】
ところで、上記特許文献１の結束装置において、ロック部のストラップ開口部の出口側から挿出されたストラップは、ケーブル束等を締め付け固定した状態で、ケーブル束等に外力が作用したときに、ロック部のストラップ開口部の入口側（引き抜き側）に引張られるが、この際に、ストラップがストラップ開口部の挿通方向に対して斜めに引張られることがある。この場合、戻り止め爪が幅方向に変形して、戻り止め爪とストラップの歯とが位置ずれして、戻り止め爪とストラップがしっかりと係合せず、ストラップに対するロック強度が低下するおそれがある。
【０００７】
したがって、本発明の目的は、バンド部の係止歯と係止片の係止爪との位置ずれを抑制して、係止歯と係止爪との係止状態を維持できる、結束バンドを提供することにある。
【課題を解決するための手段】
【０００８】
上記目的を達成するため、本発明の結束バンドは、少なくとも片面に長手方向に沿って所定間隔で複数の係止歯が形成されたバンド部と、該バンド部の基端に形成されたロック部とを備え、前記ロック部は、前記バンド部が挿通される挿通路と、該挿通路内に配置される係止片とを有し、前記係止片は、一端が前記挿通路のバンド部入口側壁部に連結部を介して連結され、他端が前記挿通路のバンド部出口側へ延出されていると共に、前記連結部よりも前記挿通路のバンド部出口側に、前記バンド部の係止歯に係止する係止爪を有しており、前記バンド部は、前記係止歯の幅方向両側から突出するリブを有しており、該リブは、前記バンド部を前記挿通路に挿通したときに、前記係止片の幅方向両側に位置するように構成されていることを特徴とする。
【０００９】
本発明の結束バンドにおいては、前記係止片は、前記連結部よりも前記挿通路のバンド部入口側に突出し、かつ、前記挿通路の壁部に対して離間する突出部を有しており、前記リブは、前記バンド部を前記挿通路に挿通したときに、前記係止片の係止爪及び突出部の幅方向両側に達する高さで形成されていることが好ましい。
【００１０】
本発明の結束バンドにおいては、前記挿通路のバンド部入口側の壁部であって、前記係止片の幅方向両側に位置する部分に、ガイド突部が形成されており、前記挿通路に前記バンド部を挿通するときに、前記バンド部のリブが前記ガイド突部に当接して、前記係止歯が前記係止片の突出部に当接しないようにガイドされるように構成されていることが好ましい。
【発明の効果】
【００１１】
本発明によれば、バンド部を複数のハーネスやケーブル等の被結束部材に巻き付けて、バンド部をその先端側からロック部の挿通路のバンド部入口側から挿入して、バンド部出口から挿出させ、バンド部の挿出した部分を引張ることにより、被結束部材をバンド部で締め付けることができる。そして、バンド部がバンド部出口側から引き出されるのに従って、ロック部の係止片の係止爪がバンド部の係止歯に順次係止し、引き出されたバンド部の戻りを規制する。その結果、バンド部によって被結束部材が締め付けられた状態に維持され、被結束部材をしっかりと結束することができる。
【００１２】
そして、上記結束状態で、被結束部材に外力が作用して、バンド部が挿通路のバンド部入口側（引き抜き側）に引張られると、ロック部の係止片の突出部が挿通路の壁部に当接して、係止片の反り返りを抑制するので、強い引き抜き抵抗力を得ることができる。
【００１３】
また、バンド部が斜め方向等に引張られても、バンド部の、係止歯の幅方向両側から突出したリブが、係止片の幅方向両側に位置することにより、バンド部の係止歯と係止片の係止爪との位置ずれを抑制して、係止歯と係止爪との係止状態をしっかりと維持することができる。
【図面の簡単な説明】
【００１４】
【図１】本発明に係る結束バンドの一実施形態を示す斜視図である。
【図２】同結束バンドにおいて、図１とは異なる方向から見た場合の要部拡大斜視図である。
【図３】同結束バンドの拡大断面図である。
【図４】同結束バンドを用いて、被結束部材を結束した状態の断面図である。
【図５】同結束バンドを用いて、被結束部材を結束した状態の要部拡大斜視図である。
【図６】図５の断面斜視図である。
【図７】同結束バンドを用いて、被結束部材を結束した状態の平面説明図である。
【図８】同結束バンドにおいて、バンド部をバンド部連結側の壁部に近接する方向に屈曲させて、増し締めしようとした状態の説明図である。
【図９】同結束バンドにおいて、バンド部を図８とは反対側の壁部に近接する方向に屈曲させて、増し締めしようとした状態の説明図である。
【発明を実施するための形態】
【００１５】
以下、図面を参照して、本発明に係る結束バンドの一実施形態について説明する。
【００１６】
図４に示すように、この結束バンド１０は、例えば、車両の内部に配設される、複数の電線やケーブル、チューブ、パイプ等の被結束部材Ｈを結束するためのものであって、少なくとも片面に長手方向に沿って所定間隔で複数の係止歯２１が形成されたバンド部２０と、該バンド部２０の基端に形成されたロック部３０とを備えている。なお、この結束バンド１０は、複数の電線が束になったいわゆるワイヤハーネスに巻き付けて、保持させるために用いてもよい。
【００１７】
図１、図２及び図５に示すように、前記ロック部３０は、対向して配置された一対の壁部３１，３２と、該一対の壁部３１，３２の両側端部に連結された壁部３３，３３とで囲まれて形成された挿通路３５を有する、略四角枠状をなしている。前記バンド部２０は、前記壁部３１の、挿通路３５のバンド部入口３５ａ（図３及び図４参照）に位置する一縁部から延出されている。図４に示すように、バンド部２０は、上記バンド部入口３５ａから挿入されて、その反対側のバンド部出口３５ｂから挿出されるようになっている。
【００１８】
図１〜４に示すように、ロック部３０の挿通路３５内には、前記バンド部２０の係止歯２１に係止する複数の係止爪４１を設けた、係止片４０が配設されている。
【００１９】
この実施形態における係止片４０は、前記ロック部３０の対向配置された一対の壁部３３，３３に対して、所定間隔のスリット３７，３７（図７参照）を介して撓み可能に形成されており、その一端が、壁部３１の内面のバンド部入口３５ａ側に連結部４３を介して連結され、他端がバンド部出口３５ｂ側へ向けて斜めに延出されている。
【００２０】
図３及び図４に示すように、各係止爪４１は、挿通路３５のバンド部出口３５ｂ側に向かって次第に高くなる外面４１ａを有すると共に、逆テーパ状をなした係止面４１ｂを有している。そのため、バンド部２０が挿通路３５のバンド部出口３５ｂから引き出されるときには、係止片４０の係止爪４１が、バンド部２０の係止歯２１を順次乗り越えて、バンド部２０の移動を許容すると共に、バンド部２０が挿通路３５のバンド部入口３５ａ側に引張られたときには、逆テーパ状の係止面４１ｂに係止歯２１が係止して、バンド部２０の戻りが規制されるようになっている（図４参照）。
【００２１】
また、図３及び図６に示すように、係止片４０は、前記連結部４３よりも、挿通路３５のバンド部入口３５ａ側に突出し、かつ、挿通路３５を画成する壁部３１，３２及び壁部３３，３３に対して離間する突出部４５を有している。
【００２２】
更に、挿通路３５のバンド部入口３５ａ側の壁部であって、係止片４０の幅方向両側に位置する部分には、ガイド突部４７が形成されている。この実施形態では、図３、図５及び図６に示すように、壁部３１の幅方向両側部と、一対の壁部３３，３３との連結部分に、一対のガイド突部４７，４７が形成されており、これらの一対のガイド突部４７，４７が、係止片４０の幅方向両側に位置するようになっている（図７参照）。また、各ガイド突部４７は、挿通路３５のバンド部入口３５ａからバンド部出口３５ｂに至る長さで形成されている（図３参照）。
【００２３】
なお、これらのガイド突部４７，４７は、図４に示すように、挿通路３５にバンド部２０を挿通するときに、バンド部２０のリブ２３（後述）が当接して（図４においては当接していないが、実際のバンド部挿通時には当接する）、バンド部２０の係止歯２１が係止片４０の突出部４５に当接しないようにガイドするものである。
【００２４】
また、図２及び図３に示すように、挿通路３５のバンド部出口３５ｂ側の周縁には、所定曲率で円弧状にカーブした面取部が形成されている。この実施形態では、一対のガイド突部４７，４７の、壁部３２との対向面に面取部５１，５１が形成され、また、壁部３２の内面に面取部５２が形成され、更に、一対の壁部３３，３３の内面に面取部５３，５３が形成されている。更にこの実施形態では、ガイド突部４７，４７及び壁部３１の、バンド部出口３５ｂ側の周縁にも、面取部５４が形成されている。
【００２５】
一方、図１に示すように、前記バンド部２０は所定長さで伸びる帯状をなしており、その片面には、長手方向に沿って所定間隔で、かつ、バンド部２０の幅方向に伸び、前記係止片４０の係止爪４１に係止する、複数の係止歯２１が形成されている。この係止歯２１は、バンド部２０の先端側に向けて次第に低くなるテーパ形状をなしている（図４参照）。なお、複数の係止歯２１は、バンド部２０の両面に設けてもよい。
【００２６】
また、バンド部２０の幅方向の両側縁部であって、前記係止歯２１の幅方向両側からは、バンド部２０の長手方向に沿って伸びるリブ２３，２３が、前記係止歯２１よりも高くなるように突出している（図１及び図４参照）。そして、これらのリブ２３，２３は、図５〜７に示すように、バンド部２０を挿通路３５に挿通したときに、係止片４０の幅方向両側に位置するように構成されている。
【００２７】
この実施形態では、バンド部２０の幅方向両側縁部からリブ２３，２３が突出しているので、図７に示すように、リブ２３を含むバンド部２０の、長手方向に直交した断面形状が略コ字枠状をなし、係止片４０の幅方向両側を囲い込むように配置されるようになっている。
【００２８】
また、図４及び図６に示すように、この実施形態におけるリブ２３，２３は、バンド部２０を挿通路３５に挿通したときに、係止片４０の係止爪４１及び突出部４５の幅方向両側部に達する高さで形成されている。
【００２９】
なお、この実施形態におけるリブ２３，２３は、図１及び図４に示すように、バンド部２０の長手方向基端からやや離れた位置から、長手方向先端よりも手前側に至るように、バンド部２０の長手方向に沿って伸びている。また、各リブ２３の先端側には、バンド部２０の先端に向かって次第に高さが低くなるテーパ面２３ａが形成されており、バンド部２０を挿通路３５にスムーズに挿通できるようになっている。更に、各リブ２３の基端側にも、バンド部２０の基端に向かって次第に高さが低くなるテーパ面２３ｂが形成されている。
【００３０】
また、図１及び図４に示すように、バンド部２０の先端側であって、係止歯２１が設けられた面側には、その幅方向両側に複数の突部２５が形成されており、バンド部２０を挿通路３５に挿通して引張るときの滑り止めをなしている。
【００３１】
なお、この実施形態における結束バンド１０は、車両パネルや車体フレーム等の固定部材に保持される構造ではないが、例えば、前記ロック部３０の所定壁部に、柱状のステム部と、該ステム部の先端から碇足状に延出した一対の係止脚とからなるクリップ（もちろん、この構造以外のクリップでもよい）を連設して、該クリップを前記固定部材に形成された取付孔に挿入して固定させて、固定部材に対して結束バンドを保持させるようにしてもよい。
【００３２】
次に、上記構成からなる結束バンド１０の使用方法及び作用効果について説明する。
【００３３】
まず、バンド部２０を、複数の係止歯２１が内側となるように湾曲させて、電線やケーブル等の被結束部材Ｈに巻き付けると共に、その先端側からロック部３０の挿通路３５のバンド部入口３５ａに挿入する。
【００３４】
そして、バンド部２０のリブ２３，２３を、ガイド突部４７，４７に当接させてガイドさせながら、バンド部２０を挿通路３５に挿通して、バンド部出口３５ｂから挿出させた後、バンド部２０の挿出した部分を引張ることにより、係止片４０が連結部４３を介して撓みつつ、その係止爪４１がバンド部２０の係止歯２１を順次乗り越えて、バンド部２０が引き出されていき、被結束部材Ｈをバンド部２０で締め付けることができる（図４参照）。
【００３５】
その後、被結束部材Ｈを充分に締め付けた状態で手を離すと、係止片４０の係止爪４１の係止面４１ｂにバンド部２０の係止歯２１が係止して、バンド部２０がロック部３０にロックされて抜け止めされ、バンド部２０によって被結束部材Ｈが締め付けられた状態に維持されて、被結束部材Ｈをしっかりと結束することができる（図４参照）。
【００３６】
そして、この結束バンド１０においては、上記結束状態で、例えば被結束部材Ｈに外力が作用して、挿通路３５に挿通されたバンド部２０が、挿通路３５のバンド部入口３５ａ側（バンド部２０の引き抜き側）に引張られると、係止片４０の突出部４５が、ロック部３０の壁部３１に当接して、係止片４０の反り返りが抑制されるので、強い引き抜き抵抗力を得ることができる。
【００３７】
また、図５〜７に示すように、バンド部２０の、係止歯２１の幅方向両側から突出したリブ２３，２３が、バンド部２０が挿通路３５に挿通された状態で、係止片４０の幅方向両側に位置するように構成されているので、例えば、バンド部２０が斜め方向等に引張られた場合には、リブ２３，２３の一方又は両方が係止片４０の側部に当接して、バンド部２０の係止歯２１と、係止片４０の係止爪４１との位置ずれを抑制することができ、係止歯２１と係止爪４１との係止状態をしっかりと維持することができる。
【００３８】
特にこの実施形態においては、バンド部２０に設けたリブ２３，２３は、バンド部２０を挿通路３５に挿通したときに、係止片４０の係止爪４１及び突出部４５の幅方向両側に達する高さで形成されている（図４及び図６参照）。そのため、挿通路３５に挿通されたバンド部２０が、挿通路３５のバンド部入口３５ａ側に引張られたときに、連結部４３を境界にして、バンド部入口３５ａ側の突出部４５及びバンド部出口３５ｂ側の係止爪４１の両方を、それぞれ位置規制することができるので、係止片４０が、連結部４３を介して変形したり、ねじれたり、回動したりすることを、効果的に抑制することができる。
【００３９】
また、この実施形態においては、前述したように、挿通路３５にバンド部２０を挿通するとき、バンド部２０のリブ２３，２３がガイド突部４７，４７に当接して、バンド部２０の係止歯２１が係止片４０の突出部４５に当接しないようにガイドされるようになっている。そのため、挿通路３５へのバンド部２０の挿入時に、バンド部２０の係止歯２１に、係止片４０の突出部４５が当接して、連結部４３を介して係止片４０が撓むことを防止することができ、その結果、係止片４０の連結部４３に過度の応力が作用することを抑制することができ、係止片４０の破損を防止することができると共に、バンド部２０をスムーズに挿通させて、被結束部材Ｈの締め付け作業性を高めることができる。
【００４０】
ところで、本発明の結束バンド１０を用いて被結束部材Ｈを結束する際には、被結束部材Ｈの外径に応じて、挿通路３５のバンド部出口３５ｂから挿出されたバンド部２０を引張って、係止片４０の係止爪４１を、バンド部２０の所定位置の係止歯２１に係止させる。しかしながら、作業者によっては、被結束部材Ｈを結束するのに十分な締め付け力が得られているのに、挿通路３５のバンド部出口３５ｂの周縁にバンド部２０の係止歯２１を係止させて、バンド部２０を屈曲させつつ更に引張ってしまうことがあった（これを「増し締め」という）。この場合、被結束部材Ｈが過度の締め付け力で結束されるため、好ましくない。これに対して、この実施形態の結束バンド１０においては、このような増し締めを抑制できる構造となっている。
【００４１】
例えば、図８に示すように、挿通路３５のバンド部出口３５ｂから挿出されたバンド部２０を、その係止歯２１がロック部３０の壁部３１に近接する方向に屈曲させて増し締めしようとした場合には、バンド部２０のリブ２３，２３が、一対のガイド突部４７，４７の、バンド部出口３５ｂ側周縁に設けた面取部５１，５１に当接して、バンド部２０の係止歯２１が係止片４０の係止爪４１に係止することを防止することができ、バンド部２０の増し締めを抑制することができる。
【００４２】
一方、図９に示すように、バンド部２０を、係止歯２１がロック部３０の壁部３２に近接する方向（図８とは反対方向）に屈曲させて増し締めしようとした場合には、挿通路３５のバンド部出口３５ｂ側周縁の面取部５２に、バンド部２０の係止歯２１とは反対面側が当接して曲がり、この場合も、バンド部２０の係止歯２１が係止片４０の係止爪４１に係止することを防止することができ、バンド部２０の増し締めを抑制することができる。
【符号の説明】
【００４３】
１０  結束バンド
２０  バンド部
２１  係止歯
２３  リブ
３０  ロック部
３１，３２，３３  壁部
３５  挿通路
３５ａ  バンド部入口
３５ｂ  バンド部出口
４０  係止片
４１  係止爪
４３  連結部
４５  突出部
４７  ガイド突部
Ｈ  被結束部材
【図１】
2016031116.tif 000003
【図２】
2016031116.tif 000004
【図３】
2016031116.tif 000005
【図４】
2016031116.tif 000006
【図５】
2016031116.tif 000007
【図６】
2016031116.tif 000008
【図７】
2016031116.tif 000009
【図８】
2016031116.tif 000010
【図９】
2016031116.tif 000011